(57)【要約】【課題】疲労回復や健康促進などの効果をより一層高めることができる椅子型マッサージ機を提供する。【解決手段】使用者が座る座部１と、この座部１の前部にあるフットレスト２と、前記座部１の後部にある背もたれ部３と、このフットレスト２に設けられ使用者にマッサージを施すためのマッサージ手段４とを備えている。フットレスト２に、岩盤からなり使用者の脚に当接させ得る熱伝導部材７と、この熱伝導部材７を加熱する加熱手段８とを設けている。【選択図】      図１
2007312857.tif 000002
【特許請求の範囲】
【請求項１】
使用者の身体を支持可能な支持体と、この支持体に設けられ使用者にマッサージを施すためのマッサージ手段と、を備え、
前記支持体に、使用者の身体の一部に当接させ得る熱伝導部材と、この熱伝導部材を加熱する加熱手段と、を設けたことを特徴とするマッサージ機。
【請求項２】
前記熱伝導部材は、岩盤、セラミックス板、又は竹炭からなる請求項１に記載のマッサージ機。
【請求項３】
前記熱伝導部材は、前記支持体から取り外し可能である請求項１又は２に記載のマッサージ機。
【請求項４】
前記支持体はフットレストであり、
前記熱伝導部材及び前記加熱手段は、前記フットレストに設けられ、
前記熱伝導部材は、使用者の足裏に当接させ得る足裏部と、この足裏部の後部側にあり使用者の脚の背面に対向させる背面部と、を有している請求項１〜３のいずれか一項に記載のマッサージ機。
【請求項５】
前記支持体はフットレストであり、
前記熱伝導部材及び前記加熱手段は、前記フットレストに設けられ、
前記フットレストは、使用者の脚を囲む凹部が形成され、
前記フットレストは、この凹部の開口部を覆うことができる蓋部を備えている請求項１〜３のいずれか一項に記載のマッサージ機。
【請求項６】
前記マッサージ手段によって使用者にマッサージを施すマッサージコースを複数有し、
前記マッサージコースに応じて前記熱伝導部材を介して使用者の身体の一部を温める温度を異ならせる制御手段を備えた請求項１〜５のいずれか一項に記載のマッサージ機。
【発明の詳細な説明】
【技術分野】
【０００１】
この発明は、マッサージ機に関する。
【背景技術】
【０００２】
マッサージ機として従来知られているものに、使用者が座る座部と、この座部の前部にあるフットレストと、座部の後部にある背もたれ部と、座部、フットレスト及び背もたれ部に適宜設けられ使用者にマッサージを施すマッサージ手段とを備えた椅子型のものがある（例えば特許文献１参照）。前記マッサージ手段としては、空気の給排により膨縮するエアセルや、モータによって動作する施療子や、バイブレータなどがある。
【０００３】
【特許文献１】特開２００４−２１５９３８号公報
【発明の開示】
【発明が解決しようとする課題】
【０００４】
しかし、前記特許文献１の装置では、マッサージ手段による通常の施療効果はあるものの、それ以上の効果は期待できなかった。
そこでこの発明は、前記問題点に鑑みてなされたものであり、疲労回復や健康促進などの効果をより一層高めることができるマッサージ機を提供することを目的とする。
【課題を解決するための手段】
【０００５】
前記目的を達成するためのこの発明は、使用者の身体を支持可能な支持体と、この支持体に設けられ使用者にマッサージを施すためのマッサージ手段とを備え、前記支持体に、使用者の身体の一部に当接させ得る熱伝導部材と、この熱伝導部材を加熱する加熱手段とを設けたマッサージ機である。
【０００６】
このマッサージ機によれば、熱伝導部材及び加熱手段を用いて使用者の身体の一部を温めることができる。また、使用者に対してマッサージ手段によるマッサージを行いながら、使用者の身体の一部を温めることができる。これにより、マッサージ手段による効果と、熱伝導部材及び加熱手段による身体を温める効果との相乗効果により、疲労回復や健康促進などの効果をより一層高めることができる。
そして、前記熱伝導部材は、岩盤、セラミックス板、又は竹炭とすることができ、これを加熱手段により加熱することで使用者の身体の一部を温めることができる。さらに、身体の一部をこのような熱伝導部材に当接させることができるため、従来のマッサージ機には無かった、硬質な物に触れるという斬新な感触を使用者に与えることができる。
【０００７】
また、前記マッサージ機において、前記熱伝導部材は、前記支持体から取り外し可能であるのが好ましい。これによれば、熱伝導部材を取り外しても椅子型マッサージ機を使用できる。
【０００８】
また、前記マッサージ機において、前記支持体はフットレストであり、前記熱伝導部材及び前記加熱手段は、前記フットレストに設けられ、前記熱伝導部材は、使用者の足裏に当接させ得る足裏部と、この足裏部の後部側にあり使用者の脚の背面に対向させる背面部とを有しているのが好ましい。これにより、使用者の脚を温めることができる。さらに、使用者の脚を足裏側と背面側とからの熱によって温めることができる。
【０００９】
また、前記マッサージ機において、前記支持体はフットレストであり、前記熱伝導部材及び前記加熱手段は、前記フットレストに設けられ、前記フットレストは、使用者の脚を囲む凹部が形成され、前記フットレストは、この凹部の開口部を覆うことができる蓋部を備えているのが好ましい。
これによれば、使用者は脚をフットレストの開口部から凹部へ容易に入れることができ、さらに、脚を入れた凹部の開口部を蓋部で覆うことで凹部内の熱が外部へ逃げることを抑制でき、脚を温める効果を高めることができる。
【００１０】
また、前記マッサージ機において、前記マッサージ手段によって使用者にマッサージを施すマッサージコースを複数有し、前記マッサージコースに応じて前記熱伝導部材を介して使用者の身体の一部を温める温度を異ならせる制御手段を備えたものが好ましい。これによれば、マッサージコースの選択によって、身体の一部を温める温度を異ならせることができる。このため、疲労回復やリラックスなどの使用目的に応じた温度で身体の一部を温めることができる。
【発明の効果】
【００１１】
本発明によれば、使用者に対してマッサージ手段によるマッサージを行い、身体の一部を温めることができ、疲労回復や健康促進などの効果をより一層高めることができる。
【発明を実施するための最良の形態】
【００１２】
以下、この発明の実施の形態について図面を参照しながら説明する。
図１はこの発明のマッサージ機の一実施形態を示す斜視図であり、図２はその側面図である。このマッサージ機は椅子型であり、使用者の身体を支持可能な支持体として、使用者（被施療者）が座る座部１と、座部１の前部にあるフットレスト２と、座部１の後部にある背もたれ部３と、肘掛け部４３とを備えている。なお、座部１に座った使用者が見て前方を前（前部、前方）とし、後方を後（後部、後方）とする。また、フットレスト２においては、当該フットレスト２が座部１の前端部から下へ降りた状態（図１と図２の状態）で、使用者が見て前方（図の左側）を前（前部、前方）とし、後方（図の右側）を後（後部、後方）として、以下説明する。
【００１３】
座部１は弾性のあるクッション材５を有し、このクッション材５の上面が使用者の臀部や太股部を載置させる座面１ａとなる。座部１におけるクッション材５としては発泡樹脂製（発泡ポリウレタン樹脂製）とできる。背もたれ部３は、着座した使用者の腰部から背中及び頭部を支持することができ、例えば樹脂製のフレームを有している。そして、この本体部の上に、弾性のあるクッション材を有したカバー部材４８（図１参照）が設けられている。フットレスト２は、着座した使用者の脚のうちの膝から下の部分、すなわち、ふくらはぎから足首を経て足裏が配置される。
【００１４】
背もたれ部３や座部１の内部にはマッサージ手段として、空気の給排により膨縮するエアセルや、モータなどによって動作する施療子、バイブレータ等の施療体が適宜配置されている。具体的には、背もたれ部３に、モータなどによって動作する施療子３５を備えたマッサージ具３０が設けられている。このマッサージ具３０は背もたれ部３を上下昇降移動できる。座部１においては、バイブレータ３７と、空気の給排により膨縮しバイブレータ３７を使用者側へ押し上げるエアセル３６とが設けられている。
フットレスト２には、マッサージ手段４として、ふくらはぎ、足首、かかと、足先部等をマッサージするためのエアセルが複数配置されている。なお、フットレスト２におけるエアセルは後で詳しく説明する。座部１の下部には、これらのエアセルに空気を供給するエア供給機構や、各施療体の動作を制御する制御手段等が収容されている（図示省略）。
【００１５】
この椅子型マッサージ機は、背もたれ部３の傾斜角度を可変とするリクライニング機構（図示せず）を有しており、さらに、背もたれ部３の傾動と連動して、又はそれぞれが独立して動作することでフットレスト２の座部１（あるいは床面）に対する角度を変化させるフットレスト傾動機構（図示せず）を有している。
【００１６】
フットレスト２は、座部１の前部に回動自在に取り付けられており、前記フットレスト傾動機構により傾動する。また、フットレスト２は、使用者の脚の主にふくらはぎに対応する位置にある第一分割体２ａと、使用者の脚の主にかかと、足の甲、及び足裏に対応する位置にある第二分割体２ｂとを備えた分割構造である。フットレスト２は、第一分割体２ａを座部１に対して接離可能として支持している第一支持機構（図示せず）と、第二分割体２ｂを第一分割体２ａと接離可能として支持している第二支持機構とを有する。これにより、使用者の脚の長さや着座姿勢に合わせて第一分割体２ａ、第二分割体２ｂの脚の長さ方向の位置を調節することができ、フットレスト２の底部２３の上面に足裏を載せることができる。
【００１７】
フットレスト２は、使用者の左右各脚の背面が対向する本体部２１と、この本体部２１の左右両側にあり左右各脚の左右外側面が対向する左右一対の側部２２と、本体部２１の脚先側にあり左右各脚の足裏が対向する底部２３とを備えている。これにより、フットレスト２には、使用者の左右脚を、背面側から、左右両側から、及び足裏側から囲む脚入れ凹部２５が形成される。
具体的に説明すると、第一分割体２ａは、ふくらはぎの背面乃至足首の上部の背面が対向する第一本体部２１ａと、この第一本体部２１ａの左右両側に立設し互いに対向する一対の第一側部２２ａとを有している。これら第一側部２２ａの左右方向内側面には、ふくらはぎを外側から押圧する外側エアセル３１が設けられている。また第一側部２１ａ間の左右方向中央位置には、ふくらはぎを左右方向内側からそれぞれ押圧する一対の中央エアセル３２が設けられている。そして、使用者の左右各脚（のふくらはぎ部）が外側エアセル３１と中央エアセル３２との間に配置される。外側エアセル３１及び中央エアセル３２は空気の給排によって膨縮し、外側エアセル３１と中央エアセル３２とによりふくらはぎを左右両側から挟んでマッサージすることができる。
【００１８】
図３は、第二分割体２ｂを座部１の前端側から見た平面図であり、図４は第二分割体２ｂを使用者の脚のつま先側から見た正面図である。図１、図３及び図４に示しているように、第二分割体２ｂは、足首の下部の背面乃至かかとの背面が対向する第二本体部２１ｂと、この第二本体部２１ｂの左右両側に立設した一対の第二側部２２ｂと、左右方向中央位置で第二本体部２１ｂから立設した中央壁部２６と、足裏が対向する底部２３とを有している。図３において、第二側部２２ｂの後部（かかと側部分）及び中央壁部２６の両対向面には、使用者の足首の下部乃至かかとを左右両側から挟んで押圧する一対の後エアセル３３が設けられている。さらに、左右第二側部２２ｂのそれぞれの前部（つま先乃至足の甲側の部分）には、使用者の足の甲を上から押圧する前エアセル３４が設けられている。
以上より、第一分割体２ａの第一本体部２１ａと第二分割体２ｂの第二本体部２１ｂとにより、前記本体部２１が構成され、第一分割体２ａの第一側部２２ａと第二分割体２ｂの第二側部２２ｂとにより、前記側部２２が構成される。
【００１９】
そして、この椅子型マッサージ機において、使用者の身体を支持可能な支持体には温熱ユニットＵが設けられている。以下、フットレスト２に温熱ユニットＵが設けられている場合を説明する。この温熱ユニットＵは、使用者の脚の一部に当接させ得る熱伝導部材７と、この熱伝導部材７を加熱する加熱手段８とを有している。熱伝導部材７は板状の部材であり、座部１や背もたれ部３に用いられるクッション材５よりも硬いものである。さらに、この熱伝導部材７は、前記クッション材５よりも蓄熱性が高い材質が好ましい。具体的には、熱伝導部材７を岩盤、セラミックス板、又は竹炭とすることができ、又はこれらのうちの複数を組み合わせたものとできる。なお、この岩盤は石板を含み、また、岩盤やセラミックス板の場合では、炭などの添加物を含むものであってもよい。そして、この熱伝導部材７をフットレスト２の底部２３の上部に設け、当該熱伝導部材７の上に足を載せることができる。
【００２０】
熱伝導部材７を岩盤とした場合、具体的には天然石や人工石とでき、例えば北投石、ブラックシリカ、医王石、麦飯石、ゲルマニウム石などがある。また、セラミックス板とした場合、具体的には、アルミナ、シリカ、チタニアなどの金属酸化物を含んだものがある。
【００２１】
加熱手段８は、電力の供給によって発熱するヒータ９とすることができ、図１のように線状のヒータや、面状のヒータ（図示せず）とすることができる。ヒータ９への電力の供給は、座部１側からケーブル１３（図５参照）を介して行われる。温熱ユニットＵは、ヒータ９を熱伝導部材７の下面に沿って設けた構成としたり、ヒータ９を板状の熱伝導部材７とその下の（図１の二点鎖線で示した）断熱板１０との間に挟んで構成したりできる。
【００２２】
図５は、この温熱ユニットＵが設けられたフットレスト２の概略を示す側面断面図である。熱伝導部材７はフットレスト２から取り外し可能であり、図５の実施の形態では、熱伝導部材７はヒータ９とともに温熱ユニットＵごと取り外し可能である。これによれば、熱伝導部材７をフットレスト２から取り外してもマッサージ機を使用できる。例えば、図６に示しているように、フットレスト２から温熱ユニットＵを取り外し、これとは別の足裏マッサージ具１４を底部２３上に取り付けることができる。足裏マッサージ具１４は突起１５ａ，１５ｂを有した部材とでき、使用者がこの足裏マッサージ具１４を踏むことで、足裏に対するマッサージが可能となる。または図示しないが、足裏マッサージ具１４を空気の給排により膨縮するエアセルや、バイブレータとできる。
【００２３】
温熱ユニットＵは、熱伝導部材７とヒータ９とを一体とし、ユニットとして構成するのが好ましく、これにより、温熱ユニットＵのフットレスト２に対する着脱が容易となる。さらに、図示しないが、熱伝導部材７とヒータ９とを金属製などの剛性の高いフレームに取り付けてもよい。この場合、熱伝導部材７を薄くしても、フレームにより当該フレームを含めた温熱ユニットＵの剛性を高めることができ、軽量化が図れる。そして、前記前エアセル３４によって、熱伝導部材７の上に足を載せた足の甲を上から押圧しても、温熱ユニットＵは剛性を有するため、当該温熱ユニットＵが破損してしまうことを防ぐことができる。
【００２４】
また、温熱ユニットＵのフットレスト２への着脱についてさらに説明すると、図４において、フットレスト２の底部２３は、温熱ユニットＵを下から支持する左右方向に延びる受け部材１６を有している。受け部材１６は温熱ユニットＵを下方から左右方向全長にわたって支持することができる。さらに、各側部２２（第二側部２２ｂ）の下部には、温熱ユニットＵの左右両端縁部をガイドするガイド溝１７が形成されている。これにより、温熱ユニットＵを受け部材１６の上に沿って出し入れすることができる。さらに、ガイド溝１７によって温熱ユニットＵをガイドし、出し入れすることができる。以上より、温熱ユニットＵのフットレスト２に対する着脱作業が容易となる。
【００２５】
また、図５において、この温熱ユニットＵをフットレスト２の所定位置に取り付けた状態で、フットレスト２に設けられた端子（固定端子）１８とヒータ９とを通電可能状態とできるユニット側端子１９が、温熱ユニットＵに設けられている。固定端子１８は前記ケーブル１３と接続されており、ユニット側端子１９はヒータ９と接続されており、これら端子１８，１９を介して、ヒータ９に対して電力の供給が可能となる。これにより、温熱ユニットＵをフットレスト２の所定位置に取り付けるのみで、温熱ユニットＵに電力の供給が可能となる。
【００２６】
また、このマッサージ機において、図３と図５に示しているように、フットレスト２は、凹部２５の開口部の少なくとも一部を覆うことができる蓋部２４を備えている。蓋部２４は、第二分割体２ｂにおける前方の開口部を覆う構成や、第一分割体２ａにおける前方の開口部をさらに覆う構成とできる。また、図示しないが、第二分割体２ｂにおける上方の開口部をさらに覆う蓋部を有してもよい。この場合、脚に対応する部分に切り欠き部を蓋部に形成すればよい。図３に示しているように、蓋部２４はフットレスト２（側部２２）に回動自在に取り付けられており、閉じて開口部を塞ぐことができる。そして蓋部２４を開くことで凹部２４の開口部を開放し、さらに蓋部２４を側部２２の左右方向外側位置まで回動させ収納することができ（図３の二点鎖線の状態）、当該蓋部２４が邪魔にならない。また、蓋部２４を左右二分割として、各蓋部２４を小さくしている。
【００２７】
このように、フットレスト２において、凹部２５に入れた脚を、本体部２１によって背面側から、一対の側部２２によって左右両側から、温熱ユニットＵを有した底部２３によって足裏側から、蓋部２４によって前面側から覆うことができ、凹部２５内の熱が外部へ逃げることを抑制でき、脚を温める効果を高めることができる。そして、蓋部２４を開くことで、使用者は開口部を通じてフットレスト２の凹部２５に対して脚を容易に出し入れできる。
【００２８】
図７は、温熱ユニットＵが設けられたフットレスト２の変形例の概略を示す側面断面図である。この形態は、温熱ユニットＵ及びフットレスト２における温熱ユニットＵの取付部が前記形態（図５）と異なるが、その他は同様である。つまり、図５では、温熱ユニットＵを断面一文字形状である平板状としたが、図７では、温熱ユニットＵの側面視における断面をＬ字形としている。すなわち、熱伝導部材７を、使用者の足裏に当接させ得る足裏面１１ａを有した足裏部１１と、この足裏部１１の後部側から立設し使用者の脚の背面に対向させる背面１２ａを有した背面部１２とを有し、断面Ｌ字形としている。そして、この熱伝導部材７の裏面側に沿ってヒータ９を設けている。なお、この図７では背面部１２を使用者のかかとの背面に対向させる形態としたが、これ以外に、ふくらはぎまでに対向するだけの高さのある背面部１２としてもよい。また、背面部１２と足裏部１１とを一体とする以外にも、別体としてもよい。これにより、使用者の脚を足裏側と背面側とから温めることができ、温浴効果を高めることができる。なお、この形態においても、前記蓋部２４（図５）を備えた構造とできる。
【００２９】
図８は、温熱ユニットＵ及びフットレスト２の変形例を示す図であり、第二分割体２ｂを使用者の脚のつま先側から見た正面図である。この形態は、温熱ユニットＵ及びフットレスト２における温熱ユニットＵの取付部が前記形態（図４）と異なるが、その他は同様である。つまり、図４では、一枚の温熱ユニットＵを使用者の左右脚（足裏）の両方に対応させた構造であり、フットレスト２の底部２３に温熱ユニットＵを一セットのみ設けた場合であるが、図８では、左右の脚のそれぞれに別個独立して対応させた二セットの温熱ユニットＵを設けている。つまり、フットレスト２の底部２３において、左と右とにそれぞれ別の温熱ユニットＵを設けている。
【００３０】
また、本発明のマッサージ機は前記フットレスト２のみで構成することができ、脚用のマッサージ機とできる。つまり、図１を参考に説明すると、使用者の脚を収容するフットレスト２と、このフットレスト２に設けられたマッサージ手段４とを備え、フットレスト２に、使用者の脚に当接させ得る熱伝導部材７と、この熱伝導部材７を加熱する加熱手段８とを設けた構造である。そして、このフットレスト２における各部の構造は、前記各実施の形態と同様とできる。
【００３１】
また、本発明では、温熱ユニットＵを、座部１と背もたれ部３と肘掛け部４３とのうちの少なくとも一つに設けてもよい。なお、この場合、フットレスト２に温熱ユニットＵを設けてもよく、又は省略してもよい。
座部１に温熱ユニットＵを設けた形態について図１により説明する。座部１には、マッサージ手段として、前記バイブレータ３７と前記エアセル３６とが設けられている。これらバイブレータ３７とエアセル３６とは、座部１の後部中央に設けられている。そして、温熱ユニットＵは、これらバイブレータ３７とエアセル３６との左右両側に一対設けられている。この場合、温熱ユニットＵの熱伝導部材７の上面が座面１ａの一部を構成する。なお、温熱ユニットＵはフットレスト２に設けたものと同様とでき、また、前記マッサージ手段は他の形態のものとしてもよい。
【００３２】
さらに、図１の座部１では、温熱ユニットＵと、バイブレータ３７及びエアセル３６とは、重ならない配置である。または、図示しないが、双方が一部又は全部で重なる配置であってもよく、例えば、温熱ユニットＵの上にバイブレータ３７及びエアセル３を設けてもよい。また、他の形態としては、図示しないが、温熱ユニットＵを座部１の略全面に設けてもよい。この場合、熱伝導部材７の上面が座面１ａの略全部を構成する。
【００３３】
さらに、座部１の温熱ユニットＵについても着脱可能とするのが好ましい。具体的には図示しないが、座部１の所定位置に凹部を形成し、この凹部において温熱ユニットＵを着脱可能としてもよい。
または、座部１は、温熱ユニットＵを有する座板（座布団）と、この座板を着脱可能とした本体部とを有する構成とし、座板ごとを本体部の上から取り外すものとしてもよい。この場合、本体部は前記マッサージ手段を有しており、本体部に座板を被せた状態で、温熱ユニットＵ、及びマッサージ手段を使用でき、また、座板を取り外して本体部のみとし、当該本体部のマッサージ手段によってマッサージを行ってもよい。
【００３４】
次に、背もたれ部３に温熱ユニットＵを設けた形態について図１により説明する。背もたれ部３には、マッサージ手段として、前記施療子３５を備えた前記マッサージ具３０が設けられている。このマッサージ具３０は、駆動手段（図示せず）によって背もたれ部３の中央部において使用者の身長方向に移動できる。つまり、背もたれ部３の中央領域がマッサージ具３０の動作領域４０である。そして、温熱ユニットＵは、このマッサージ具３０の動作領域４０の左右両側にそれぞれ設けられている。この場合、温熱ユニットＵの熱伝導部材７の上面（使用者側の面）が背もたれ面の一部を構成する。なお、温熱ユニットＵはフットレスト２に設けたものと同様とできる。なお、図１では、背もたれ部３の左右のそれぞれにおいて、腰部から背中に対応する第一の温熱ユニットＵと、肩部に対応する第二の温熱ユニットＵとを設けているが、これらが一体であったり、温熱ユニットＵがさらに複数に分けられた構成であったりしてもよい。
【００３５】
さらに、背もたれ部３の温熱ユニットＵについても着脱可能とするのが好ましい。具体的には図示しないが、背もたれ部３の門型の枠体の所定位置に凹部を形成し、この凹部において温熱ユニットＵを着脱可能としてもよい。
または、背もたれ部３は、温熱ユニットＵを有する背板（マット）と、この背板を着脱可能とした本体部とを有する構成とし、背板ごとを本体部から取り外すものとしてもよい。つまり、本体部に背板を被せた状態で温熱ユニットＵ、及び前記マッサージ具３０を使用でき、また、背板を取り外して本体部のみとし、前記マッサージ具３０を使用してもよい。
【００３６】
次に、肘掛け部４３に温熱ユニットＵを設けた形態について図１と図２とにより説明する。図１において、温熱ユニットＵは、左右肘掛け部４３のそれぞれの上部に設けられている。この場合、温熱ユニットＵの熱伝導部材７の上面が肘掛け面の一部を構成する。なお、温熱ユニットＵはフットレスト２に設けたものと同様とできる。
【００３７】
図２の形態は、肘掛け部４３に温熱ユニットＵを設けた場合の変形例であり、肘掛け部４３は、その本体部の上に使用者の腕を支持できる腕支持部４４を有している。腕支持部４４は、さらにエアセルなどのマッサージ具を備えたものであってもよい。
そして、腕支持部４４は、例えば、上方へ開口する断面Ｕ字形の筒部材とでき、この場合、この腕支持部４４の底部（下部）、左右側部の少なくとも一方に、温熱ユニットＵを設けている。
また、腕支持部４４は、例えば、肘掛け部４３の本体の上面に載せた使用者の腕を左右両側及び上部から覆う筒部材とでき、この場合、肘掛け部４３の本体の上面、腕支持部４４の上部、左右側部の少なくとも一方に、温熱ユニットＵを設けている。
さらに、肘掛け部４３の温熱ユニットＵについても着脱可能とするのが好ましい。具体的には、前記腕支持部４４を肘掛け部４３の本体から着脱可能とする構成とできる。
【００３８】
さらに、図１に示しているように、肘掛け部４３の内側側面に温熱ユニットＵを設けてもよい。この場合、温熱ユニットＵは、使用者の脚の大腿部の左右外側面に対向する位置となる。これにより、肘掛け部４３の温熱ユニットＵによって、使用者の脚（大腿部）を温めることができる。
【００３９】
図９は、温熱ユニットＵにより使用者の脚を温める制御を説明するためのブロック図である。このマッサージ機は、制御手段６を有している。なおこの制御手段６は、エアセルに空気を供給するエア供給機構や、各施療体の動作を制御する前記制御手段と同じであっても良く、別であってもよい。また、このマッサージ機には、前記マッサージ手段４によって使用者にマッサージを施す複数のマッサージコースが記憶・設定されている。マッサージコースは、揉み、叩き、指圧、休止などのマッサージステップが適宜選択されて含まれている。また、マッサージコースのそれぞれは、各マッサージステップにおけるマッサージ強さやマッサージ時間などの特性がそれぞれ異なるように設定されている。そして、使用者が操作する操作スイッチ２７における選択により、所定のマッサージコースが行われるように制御されている。
【００４０】
具体的には、マッサージコースとして「疲労回復コース」と「リラックスコース」とがあり、前者は後者よりも強いマッサージが前記マッサージ手段４によって行われる。そして、前記制御手段６は、これらマッサージコースの種類に応じて熱伝導部材７を介して使用者の脚などの身体の一部を温める温度を異ならせる制御を行う。具体的には、「疲労回復コース」が選択されると、所定のマッサージステップにおいて温熱ユニットＵを「リラックスコース」の場合よりも高温にする制御を行う。一方、「リラックスコース」が選択されると、所定のマッサージステップにおいて温熱ユニットＵを「疲労回復コース」の場合よりも低温にする制御を行う。また、制御手段６は、一つのマッサージコース内において、使用者の脚を温める温度を異ならせる制御を行うこともできる。
【００４１】
この制御は、図９に示しているように、温熱ユニットＵに温度センサ２０を設けておき、温度センサ２０を用いて熱伝導部材７における温度を管理することで、ヒータ９の出力を制御している。なお、この温度センサ２０についても、前記端子１８，１９及びケーブル１３（図５参照）を通じて、座部１の下に設けた制御手段６と繋がっている。この制御手段６によれば、マッサージコースの選択によって、脚などの身体を温める温度を異ならせることができ、疲労回復やリラックスなどの使用目的に応じた温度で身体を温めることができる。
【００４２】
以上の各実施の形態によれば、フットレスト２において、使用者に対してマッサージ手段４によるマッサージを行いながらでも、さらに、座部１や背もたれ部３において、使用者に対してマッサージ手段によるマッサージを行いながらでも、フットレスト２において、熱伝導部材７を用いて使用者の身体の一部を温め、温浴が可能となる。熱伝導部材７を岩盤とすることで岩盤浴の効果が得られ、セラミックス板、又は竹炭とすることによっても同様の効果が得られる。例えば、熱伝導部材７からの遠赤外線放射による温感作用、マイナスイオンによる作用が得られる。これにより、マッサージ手段４による効果と、温熱ユニットＵによる身体を温める効果との相乗効果により、疲労回復や健康促進などの効果をより一層高めることができる。また、前記のとおり温熱ユニットＵをフットレスト２に設けた場合、熱伝導部材７の上に足裏を載せ、この足を前記前エアセル３４で上から押圧しながら、温熱ユニットＵにより温めることができる。
【００４３】
本発明の各実施の形態において、熱伝導部材７は、使用者の身体の一部に当接させ得る面を露出させて、身体の一部に直接接触させてもよく、または、熱伝導部材７の身体の一部側の面に布などのカバー部材（図示せず）を設け、このカバー部材を介して身体の一部に当接させても良い。
また、フットレスト２において前記蓋部２４を設けることなく、熱伝導部材７の上に載置した足（足先から足の甲）を上から覆うカバー部材を設けても良い。さらに、このカバー部材は、足の上及び脚の前を覆うもの、すなわち、足先から足の甲、及び、脛の前面を覆うものであっても良い。
【００４４】
また、本発明は、図示した各形態に限らずこの発明の範囲内において他の形態のものであっても良い。例えば、使用者にマッサージを施すマッサージ手段を、座部１や背もたれ部３において省略するなどしてもよく、座部１とフットレスト２と背もたれ部３のうちの少なくとも一つに設けられていればよい。また、温熱ユニットＵをフットレスト２に設けた場合、底部２３のみに設けた形態について説明したが、これ以外に、フットレスト２の側部２２や本体部２１などの複数箇所に温熱ユニットＵを設けてもよい。さらに、温熱ユニットＵを座部１や背もたれ部３に設けた場合においても、温熱ユニットＵの設置位置は図示した形態に限らずその他位置であってもよい。
【図面の簡単な説明】
【００４５】
【図１】この発明のマッサージ機の一実施形態を示す斜視図である。
【図２】マッサージ機の側面図である。
【図３】フットレストの一部の正面図である。
【図４】図３のフットレストの一部を平面図である。
【図５】温熱ユニットが設けられたフットレストの概略を示す側面断面図である。
【図６】温熱ユニットを取り外して用いるフットレストの要部を示す側面断面図である。
【図７】温熱ユニット及びフットレストの変形例の要部を示す側面断面図である。
【図８】温熱ユニット及びフットレストの変形例を示す正面図である。
【図９】温熱ユニットにより使用者の脚を温める制御を説明するブロック図である。
【符号の説明】
【００４６】
１  座部
１ａ  座面
２  フットレスト
３  背もたれ部
４  マッサージ手段
５  クッション材
６  制御手段
７  熱伝導部材
８  加熱手段
９  ヒータ
１１  足裏部
１２  背面部
２１  本体部
２２  側部
２３  底部
２４  蓋部
２５  凹部
Ｕ  温熱ユニット
【図１】
2007312857.tif 000003
【図２】
2007312857.tif 000004
【図３】
2007312857.tif 000005
【図４】
2007312857.tif 000006
【図５】
2007312857.tif 000007
【図６】
2007312857.tif 000008
【図７】
2007312857.tif 000009
【図８】
2007312857.tif 000010
【図９】
2007312857.tif 000011